(57)【要約】【課題】軸状部材１と、この軸状部材の周囲に配置された筒状部材２と、これらの部材の間にこれらの部材同士を連結する第一ゴム部材３とを具え、軸方向とこれに直交する少なくとも１方向に対してそれぞれ所望の防振効果を得ることができ、しかも、これを低コストで実現することのできる新しい構造の液体封入式防振装置１０を提供する。【解決手段】第一ゴム部材３よりロスファクタの大きい第二ゴム部材９で軸状部材１と筒状部材２とを周上の複数箇所で連結し、これらの第二ゴム部材９を、第一ゴム部材３とは連結させないよう第一ゴム部材３の軸方向外側に配置する。【選択図】図２
2009133341.tif 000002
【特許請求の範囲】
【請求項１】
中心軸線上に設けられた軸状部材と、この軸状部材の周囲に配置された筒状部材と、これらの部材の間に配置されこれらの部材同士を連結するゴム部材とを具え、前記ゴム部材の軸方向一方側に、前記筒状部材に液密に取り付けられた仕切り部材を配設し、この仕切り部材と前記ゴム部材との間に主液室を形成するとともに、主液室の、前記仕切り部材を挟んだ反対側に膜部材を設けこの膜部材と前記仕切り部材との間に副液室を形成し、前記仕切り部材内に形成したオリフィスを通してこれらの液室を相互に連通させてなる液体封入式防振装置において、
前記ゴム部材を第一ゴム部材として、第一ゴム部材よりロスファクタの大きい第二ゴム部材で前記軸状部材と筒状部材とを連結し、これらの第二ゴム部材を、前記第一ゴム部材とは連結させないよう前記第一ゴム部材の軸方向他方側に配置してなる液体封入式防振装置。
【請求項２】
前記第二ゴム部材を２個設け、これらを前記軸状部材を挟んで互いに対向するよう配置してなる請求項１に記載の液体封入式防振装置。
【請求項３】
前記第一ゴム部材の端面に、前記第二ゴム部材から離れた周方向位置に半径方向内外に延在するすぐりを形成してなる請求項２に記載の液体封入式防振装置。
【請求項４】
請求項１〜３のいずれかの液体封入式防振装置を製造する方法であって、
前記軸状部材と筒状部材と、第一ゴム部材とを一体的に成形したあと、前記第二ゴム部材を、前記筒状部材および軸状部材に組み付ける液体封入式防振装置の製造方法。
【発明の詳細な説明】
【技術分野】
【０００１】
本発明は、中心軸線上に設けられた軸状部材と、この軸状部材の周囲に配置された筒状部材と、これらの部材の間に配置されこれらの部材同士を連結するゴム部材とを具え、前記ゴム部材の軸方向一方側に、前記筒状部材に液密に取り付けられた仕切り部材を配設し、この仕切り部材と前記ゴム部材との間に主液室を形成するとともに、主液室の、前記仕切り部材を挟んだ反対側に膜部材を設けこの膜部材と前記仕切り部材との間に副液室を形成し、前記仕切り部材内に形成したオリフィスを通してこれらの液室を相互に連通させてなる液体封入式防振装置に関し、特に、簡易な構造で、方向によって防振特性を異ならせることのできるものに関する。
【背景技術】
【０００２】
中心軸線上に設けられた軸状部材と、この軸状部材の周囲にこれと平行に配置された筒状部材と、これらの部材の間にこれらの部材同士を全周にわたって連結するゴム部材を具え、前記ゴム部材の軸方向一方側に、前記筒状部材に液密に取り付けられた仕切り部材を配設し、この仕切り部材と前記ゴム部材との間に主液室を形成するとともに、主液室の、前記仕切り部材を挟んだ反対側に膜部材を設け仕切り部材と膜部材との間に副液室を形成し、前記仕切り部材内に形成したオリフィスによりこれらの液室を相互に連通させてなる液体封入式防振装置は、従来から知られており、この装置は、軸状部材と筒状部材とが軸方向に相対変位する際の振動をオリフィスを通過する流体の共振作用によって所望の防振性能を付与することができる。
【０００３】
昨今、このような液体封入式防振装置に対するさらなる改良として、軸方向だけではなく、軸方向に直交する方向に対しても所望の防振性能を有する装置が求められてきており、このような要求に対して、前記ゴム部材の周方向一部分にも液室とこれに対して出入りするオリフィスとを設けことにより、中心軸線と直交する面上において、軸線からこの流体室に延びる方向に所望の防振性能を付与する装置が提案されている（例えば、特許文献１参照）
【特許文献１】特開２００２−３１０２２１号公報
【発明の開示】
【発明が解決しようとする課題】
【０００４】
しかしながら、このように複数方向のそれぞれに対して液室とこれに対応するオリフィスとを液体封入式防振装置に設けようとすると、防振性能においては優れるものの、構造が極めて複雑になるため、コストの大幅な低減が求められていた。
【０００５】
本発明は、このような問題点に鑑みてなされたものであり、軸方向とこれに直交する少なくとも１方向に対してそれぞれ所望の防振効果を得ることができ、しかも、これを低コストで実現することのできる新しい構造の液体封入式防振装置を提供することを目的とする。
【課題を解決するための手段】
【０００６】
＜１＞は、中心軸線上に設けられた軸状部材と、この軸状部材の周囲に配置された筒状部材と、これらの部材の間に配置されこれらの部材同士を連結するゴム部材とを具え、前記ゴム部材の軸方向一方側に、前記筒状部材に液密に取り付けられた仕切り部材を配設し、この仕切り部材と前記ゴム部材との間に主液室を形成するとともに、主液室の、前記仕切り部材を挟んだ反対側に膜部材を設けこの膜部材と前記仕切り部材との間に副液室を形成し、前記仕切り部材内に形成したオリフィスを通してこれらの液室を相互に連通させてなる液体封入式防振装置において、
前記ゴム部材を第一ゴム部材として、第一ゴム部材よりロスファクタの大きい第二ゴム部材で前記軸状部材と筒状部材とを連結し、これらの第二ゴム部材を、前記第一ゴム部材とは連結させないよう前記第一ゴム部材の軸方向他方側に配置してなる液体封入式防振装置である。
【０００７】
＜２＞は、＜１＞において、前記第二ゴム部材を２個設け、これらを前記軸状部材を挟んで互いに対向するよう配置してなる液体封入式防振装置である。
【０００８】
＜３＞は、＜２＞において、前記第一ゴム部材の端面に、前記第二ゴム部材から離れた周方向位置に半径方向内外に延在するすぐりを形成してなる液体封入式防振装置である。
【０００９】
＜４＞は、＜１＞〜＜３＞のいずれかの液体封入式防振装置を製造する方法であって、前記軸状部材と筒状部材と、第一ゴム部材とを一体的に成形したあと、前記第二ゴム部材を、前記筒状部材および軸状部材に組み付ける液体封入式防振装置の製造方法である。
【発明の効果】
【００１０】
＜１＞によれば、第一ゴム部材よりロスファクタの大きい第二ゴム部材で前記軸状部材と筒状部材とを連結し、これらの第二ゴム部材を、前記第一ゴム部材とは連結させないよう前記第一ゴム部材の軸方向他方側に配置しているので、詳細を後述するように、軸方向と直交する所定の方向に対して所望の防振特性を付与することができ、しかも、この性能を低コストで実現することができる。
【００１１】
＜２＞によれば、前記第二ゴム部材を２個設け、これらを前記軸上部材を挟んで互いに対向するよう配置したので、第二ゴム部材が延在する方向と直交する方向の入力に対して大きな防振効果を付与することができる。
【００１２】
＜３＞によれば、前記第一ゴム部材の端面に、前記第二ゴム部材から離れた周方向位置に半径方向内外に延在するすぐりを形成したので、前記防振効果を一層確実に得ることができる。
【００１３】
＜４＞によれば、前記軸状部材と筒状部材と、第一ゴム部材とを一体的に成形したあと、前記第二ゴム部材を、前記筒状部材および軸状部材に組み付けるので、工程を簡素にすることができ、一層のコストの低減を可能にすることができる。
【発明を実施するための最良の形態】
【００１４】
本発明の実施形態について図に基づいて説明する。図１は、この実施形態の液体封入式防振装置を示す平面図であり、図２は、図１のＡ−Ａ矢視に対応する断面図であり、液体封入式防振装置１０は、中心軸線上に設けられた軸状部材１と、軸状部材１の周囲に配置された筒状部材２と、これらの部材１、２の間にこれらの部材１、２同士を連結する第一ゴム部材３とを具え、第一ゴム部材３の軸方向一方側に、筒状部材２に液密に取り付けられた仕切り部材４を配設し、仕切り部材４とゴム部材３との間に主液室６を形成するとともに、主液室６の、仕切り部材４を挟んだ反対側に膜部材５を設け膜部材５と仕切り部材４との間に副液室７を形成し、仕切り部材４内に形成したオリフィス８を通してこれらの液室６、７を相互に連通させて構成されていて、軸状部材１と筒状部材２との軸方向の相対変位に対してオリフィス８を通過する液体の共振作用によって所望の防振性能得ることができる。
【００１５】
さらに、本発明の液体封入式防振装置１０は、その特徴として、第一ゴム部材３よりロスファクタの大きい複数個の第二ゴム部材９を、第一ゴム部材３とは連結させないようにして第一ゴム部材３の軸方向他方側に配置し、これらの第二ゴム部材９で、軸状部材１と筒状部材２とを連結しており、それぞれの第二ゴム部材９は、その延在方向と交差する方向の変位に対し大きく剪断変形し、この変形の際、このゴム９のロスファクタが大きいことにより大きな防振効果を発揮するので、これらの第二ゴム部材９を効率よく配置することにより所定方向に対して所望の防振性能を得ることができる。しかも、このような方向性のある防振性能を得るのに、従来のように、複数の方向に対応する液室やオリフィスを複数個具える必要がなく、簡易な構造にすることができ、その点において大幅なコストダウンをすることができる。
【００１６】
ここで、図１に示すように、第二ゴム部材９を２個設け、これらを前記軸状部材を挟んで互いに対向するよう配置するのが好ましく、このように配置することによって、第二ゴム部材９が延在する方向（Ｘ方向）と直交する方向（Ｙ方向）に作用する、軸状部材１と筒状部材２との相対変位に対して、ロスファクタの大きい第二ゴム部材９が剪断変形することによって、有効な防振効果を得ることができる。
【００１７】
この場合、第一ゴム部材３に、前記第二ゴム部材から離れた周方向位置で半径方向内外に延在する、すなわち、第二ゴム部材９の軸線周りの延在方向（Ｘ方向）と直交する方向（Ｙ方向）に延在するすぐりを形成するのが好ましく、この構成により、第一ゴム部材３は、Ｙ方向の入力に対する弾性が、Ｘ方向に対する弾性より低くなるので、Ｙ方向の入力に対する第二ゴム部材の剪断変形を拡大し、その結果、この方向に対する防振性能を一層効果的に高めることができる。
【００１８】
例えば、エンジンを、このような液体封入式防振装置１０を介して車体に取り付ける場合、Ｙ方向が車両の左右方向と合致する向きに液体封入式防振装置１０を配置することによって、エンジンの車両前後方向や上下方向の特性を大幅に変えることなく、左右方向の揺れを効果的に抑制することができる。
【００１９】
さらに、第二ゴム部材９を配設することにより、上記のように軸線と直交する面内の減衰特性を変化させるだけでなく、軸線方向の剛性と、軸線と直交する面内の剛性とのバランスも変化させることができる。
【００２０】
なお、第二ゴム部材９の形状は、図１に示すようなブロック状のものに限定する必要はなく、例えば、図３に示すように、平面視において二股形状となるようにすることができ、また、その数を２個を越えるものにすることもできる。しかし、いずれの場合にも、軸方向と直交する断面において、第二ゴム部材９の延在する方向に対して直交する方向に第二ゴム部材９を配置しないようにするのが好ましい。
【００２１】
このようなエンジンを液体封入式防振装置１０を形成するには、まず、軸状部材１と、筒状部材２とがインサートされた金型内に成形材料を射出して、軸状部材１と、筒状部材２と、第一ゴム部材３とを一体的に成形したあと、第二ゴム部材９を、軸状部材１と、筒状部材２とに取り付けるとよい。
【００２２】
そして、第二ゴム部材９を、これらの部材１、２に取り付けるに際しては、予め第二ゴム部材９の両端に取り付け用の取り付け部材１１、１２を一体成形しておくとともに、軸状部材１、および、筒状部材２には、それぞれ、これらの取り付け部材１１、１２を挿入固定するためのスリット１３、１４を形成しておき、軸状部材１、筒状部材２、および、第二ゴム部材９よりなる組立体の、スリット１３、１４に取り付け部材１１、１２を差し込むことによって、第二ゴム部材９を組立体に組み付けることができ、このようなプロセスに従うことにより、極めて簡易に液体封入式防振装置１０を形成することができる。
【００２３】
また、第二ゴム部材９を部材１、２に取り付ける際、スリット１３、１４に取り付け部材１１、１２を圧入して挿入するのが好ましく、このことによって、長期に及ぶ振動入力下でも、第二ゴム部材９が部材１、２から外れるのを防止することができ、液体封入式防振装置の寿命を向上させることができる。
【００２４】
また、図１においては、軸状部材１および筒状部材２の両方にスリット１３、１４を設けたが、図４に示すように、これらの一方、（図示の場合、軸状部材１Ａ）を全周にわたる切欠部１３Ａとすることもでき、この場合、取り付け部材１１、１２を組み付ける際に、これらの部材１１、１２と軸状部材１および筒状部材２との間に押圧力が作用するように圧入するので、第二ゴム部材９が軸状部材１や筒状部材２から外れることはない。
【産業上の利用可能性】
【００２５】
本発明に係る筒型防振マウントは、自動車のエンジンマウントやボディマウントとして用いることができる。
【図面の簡単な説明】
【００２６】
【図１】本発明に係る実施形態のこの実施形態の液体封入式防振装置を示す平面図である。
【図２】図１のＡ−Ａ矢視に対応する断面図である。
【図３】他の態様の液体封入式防振装置を示す平面図である。
【図４】別の他の態様の液体封入式防振装置を示す平面図である。
【符号の説明】
【００２７】
１、１Ａ    軸状部材
２    筒状部材
３    第一ゴム部材
４    仕切り部材
５    膜部材
６    主液室
７    副液室
８    オリフィス
９、９Ａ    第二ゴム部材
１１、１２    取り付け部材
１３、１３Ａ、１４    スリット
【図１】
2009133341.tif 000003
【図２】
2009133341.tif 000004
【図３】
2009133341.tif 000005
【図４】
2009133341.tif 000006